(57)【要約】  【課題】    迅速且つ均等に湯たんぽを加熱することができる加熱構造を備え、且つ、多重の安全装置により使用者の安全を確保すると共に製品の寿命を延長した湯たんぽの加熱装置の提供。  【解決手段】    本考案の湯たんぽの加熱装置は、殼体、電子装置、２つの電熱片及び電源コードを含んで成り、２つの電熱片を湯たんぽ内側の二面にそれぞれ固定し、防水回路で電熱片と電子装置を接続し、該電子装置内に温度制御器及び電源コードと接続される挿入孔を設け、該挿入孔内に３つの導電端子及び凸柱体を設置し、該凸柱体が電源コードの安全スイッチ内に挿入され、上述の構造によりその使用時には、迅速且つ均等に加熱できるだけでなく、多重の安全装置で使用者の安全確保と製品の寿命延長が可能である。  【選択図】    図２
0003108685.tif 000002
【実用新案登録請求の範囲】
【請求項１】
殼体、電子装置、２つの電熱片及び電源コードを含んで成り、そのうち、該殼体は外殼体及び内殼体から成り、該外殼体上に注水孔及び電源コードの挿入孔を設け、該挿入孔内に凸柱体を設置し、該電子装置は内殼体内部に設置され、温度制御器及び外殼体の挿入孔内に穿出された３つの電源接続端子を備え、該２つの電熱片を固定フレームで湯たんぽ内側二面の適切な位置にそれぞれ固定し、さらに防水回路で電熱片と電子装置が接続されると共に、該電源コードは外殼体の挿入孔内に挿入され、３つの電子装置の電源接続端子に対応する導電部と安全スイッチを備え、使用時には挿入孔内に設置された凸柱体が電源コードの安全スイッチを押圧し、該安全スイッチが警告ランプと接続されることを特徴とする湯たんぽの加熱装置。  
【請求項２】
前記のうち、該殼体が湯たんぽの一面の適切な位置に挟む方法で設置された、請求項１に記載の湯たんぽの加熱装置。
【請求項３】
前記のうち、該内殻体と外殼体が箱状に組み立てられる、請求項１に記載の湯たんぽの加熱装置。    
【請求項４】
前記のうち、該電熱片に使用する固定フレームが十字形である、請求項１に記載の湯たんぽの加熱装置。
【請求項５】
前記のうち、該電熱片に使用する固定フレームが井の字形である、請求項１に記載の湯たんぽの加熱装置。   
【考案の詳細な説明】
【技術分野】
【０００１】
本考案は、湯たんぽの加熱構造の改良に関し、特に、迅速且つ均等に湯たんぽ内の導熱物質を加熱し、且つ、多重の安全装置を備え、使用者の安全を確保すると共に製品の寿命を延長した湯たんぽの加熱装置に関する。
【背景技術】
【０００２】
図１に示すように、一般的に使用されている加熱可能な湯たんぽaは、通常耐熱性と防漏性を備えた袋体a１を利用し、その適当な位置の内部に電熱装置bを設置し、且つ、袋体a１内に熱伝導が可能で導電性を備えた液状物質cを入れ、該電熱装置bは前端の発熱部品b１を利用し、上述の液状物質c内に導電した後発熱を開始し、加熱の目的を達するものである。しかしながら、該発熱部品b１は、直接電熱装置bに接続されており、多くが電熱棒形式を採用しているため、発熱点が集中しすぎるという問題が発生し、該湯たんぽaの加熱の際、発熱部品b１の設置位置に近い部分の温度が特に高くなってしまうため、長時間加熱しながら使用することはできず、また、電熱装置bと電源コードb２が接続された部分も、湯たんぽaが絶え間なく移動されることで容易に脱落や電源接続点の接触不良などが発生し、湯たんぽaの破損につながるだけでなく、使用者の生命の安全も脅かされる可能性があるため、改良が求められている。
【考案の開示】
【考案が解決しようとする課題】
【０００３】
本考案は、上述の従来構造の欠点に鑑みてなされたものであり、考案者の該項事業における長年の経験に基づき研究を重ね、斬新な湯たんぽの加熱構造の改良を考案するものである。
【０００４】
本考案の主な目的は、迅速且つ均等に湯たんぽを加熱することができる加熱構造を備え、且つ、多重の安全装置により使用者の安全を確保すると共に製品の寿命を延長することができる湯たんぽの加熱装置を提供することにある。
【課題を解決するための手段】
【０００５】
上述の目的を達するため、本考案の湯たんぽの加熱装置は、殼体、電子装置、２つの電熱片及び電源コードを含んで成り、該電子装置は殼体内に設置され、該殼体を湯たんぽの袋体上に設置し、さらに２つの電熱片をそれぞれ固定フレームで湯たんぽ内側の二側面の適切な位置に固定し、電熱片と電子装置を防水回路で接続すると共に、該電子装置内に温度制御器及び電源コードと接続される挿入孔を設け、該挿入孔内部に電源接続端子３つと凸柱体を設置し、使用時には、電源コードと電子装置を相互に接続し、このとき、該凸柱体が電源コードの安全スイッチ孔内に挿入されて安全スイッチ内部の警告ランプを発光させ、通電されることを特徴とする。
【考案の効果】
【０００６】
上述の構造によりその使用時には、電熱片を用いる方式で加熱を行うため、その加熱速度が電熱片の面積を大きくするにつれ加速し、さらに本考案は電熱片を湯たんぽ内側の二面の適切な位置に設置しているが、従来の一般的に使用されている湯たんぽは、その加熱源が湯たんぽ袋体内側の一面の適切な位置に設置されているのみであるため、熱の伝達において、加熱源から湯たんぽの各角までの距離が異なり、加熱が不均等になったり、加熱に時間がかかりすぎたりという問題が容易に発生する。このため、本考案は加熱速度と加熱方式を従来の電熱棒形式に比べより迅速且つ均等にすると共に、該湯たんぽは常に移動される物品であるため、従来の湯たんぽにおいては、湯たんぽと電源コードの接続箇所が往々にして使用者が気付かないうちに外れてしまい、使用上の安全問題となり、且つ、電熱棒が焼き付いて製品の使用寿命に影響することもあるが、本考案においては電源コード上に安全スイッチを設け、電源コードと湯たんぽ間が確実に接続されていることを確認する安全装置としており、上述の問題の発生を回避できる。        
【考案を実施するための最良の形態】
【０００７】
以下、本考案の構造、装置及びその特徴について、最良の実施例と図面に基づき詳細に説明する。
【０００８】
図２、図３、図４に示すように、本考案の湯たんぽの加熱装置は、殼体１０、電子装置２０、２つの電熱片３０及び電源コード４０を含んで成り、そのうち、該殼体１０は、外殼体１１及び内殼体１２から構成され、湯たんぽ２一面の適切な位置に挟む方式で設置され、該外殼体１１上に注水孔１１a及び電源コード４０に対応する挿入孔１１bを設け、該挿入孔１１b内に凸柱体１１b１を設置し、該内殻体１２と外殼体１１を箱状に組み立て、電子装置２０を外殼体１１と内殻体１２内に設置する。該電子装置２０は温度制御器２１及び外殼体１１の挿入孔１１b内に穿出された３つの電源接続端子２２を備え、さらに２つの電熱片３０を固定フレーム３１（図５A、図５B参照、該固定フレーム３１は十字形または井の字形とする）を用いて湯たんぽ２内側の二面の適切な位置にそれぞれ固定し、防水回路で電熱片３０と電子装置２０を接続する。また、電源コード４０は、外殼体１１の挿入孔１１b内に挿入され、該電源コード４０は３つの導電部４１と安全スイッチ４２を備えており、該導電部４１は電子装置２０の電源接続端子２２と相互に接続され、該安全スイッチ４２は電源コード４０を挿入孔１１bに挿入して使用するとき、挿入孔１１b内に設置された凸柱体１１b１により押圧され、安全スイッチ４２が駆動されて接続し警告ランプ４２aを点灯させると共正常に通電が行われ、使用の目的を達することができる。
【０００９】
上述のように、本考案の湯たんぽの加熱装置は、殼体、電子装置、２つの電熱片及び電源コードを含んで成る加熱構造であり、迅速且つ均等に湯たんぽを加熱できるだけでなく、多重の安全装置で使用者の安全確保と製品の寿命延長の効果を備え、実用性と進歩性を兼ね備えているため、特許法の規定に基づきここに実用新案登録の出願をするものである。
【図面の簡単な説明】
【００１０】
【図１】従来の湯たんぽの加熱構造を示す立体斜視図である。
【図２】本考案の立体分解図である。
【図３】本考案の立体組立図である。
【図４】図３とは別の位置に電熱片を設置した本考案の立体組立図である。
【図５Ａ】本考案の電熱片に使用する十字形固定フレームの立体斜視図である。
【図５Ｂ】本考案の電熱片に使用する井の字形固定フレームの立体斜視図である。
【符号の説明】
【００１１】
２        湯たんぽ
１０      殼体
１１      外殻体
１１a      注水孔
１１b      挿入孔
１１b１      凸柱体
１２      内殼体          
２０      電子装置
２１      温度制御器
２２      電源接続端子
３０      電熱片
３１      固定フレーム
４０      電源コード
４１      導電部
４２      安全スイッチ
４２a      警告ランプ
a        湯たんぽ
a１      袋体
ｂ        電熱装置
ｂ１      発熱部品
ｂ２      電源コード
ｃ        液状物質
【図１】
0003108685.tif 000003
【図２】
0003108685.tif 000004
【図３】
0003108685.tif 000005
【図４】
0003108685.tif 000006
【図５Ａ】
0003108685.tif 000007
【図５Ｂ】
0003108685.tif 000008